(57)【要約】【課題】  開閉操作部材の弾性変形の変形よって、開閉操作部材と蓋との噛み合いが外れて蓋が開くなどの問題や、誤操作による蓋の開放を確実に防止でき、単に蓋を押すことによって開閉できるワンタッチで開閉する蓋を有する容器を提供すること。【解決手段】  上部に開口部のある容器本体と、蓋とで構成される容器において、容器本体と蓋とが、その端のヒンジ部で回動可能に接合され、ヒンジ部近傍に開口バネが配置され、蓋の内面側に係合爪と押しリブとが設けられ、容器本体の内側に爪部と回転突起とバネ部とで構成される回転体が設けられ、蓋を閉じた時に回転爪部が係合爪と係合し、蓋を押した時に押しリブが回転突起を押して爪部と係合爪との係合がはずれ、蓋を押して解除した時に回転体のバネ部の戻り速さを、開口バネの戻り速さよりも遅くしたことを特徴とするワンタッチ開閉機能付き容器とする。【選択図】図２
2014114028.tif 000002
【特許請求の範囲】
【請求項１】
上部に開口部のある容器本体と、蓋とで構成される容器において、
前記容器本体と蓋とが、その端のヒンジ部で回動可能に接合されており、かつ、このヒンジ部近傍に開口バネが配置されていて、この開口バネにより、蓋が開く方向に付勢されており、
前記蓋の内面側に係合爪と押しリブとが設けられており、他方、容器本体の内側に回転体が設けられており、この回転体は、回動自在な軸に爪部と回転突起とバネ部とを設けて構成されており、
蓋を閉じた状態で前記爪部が蓋の係合爪と係合しており、かつ、これら爪部と係合爪とが互いに係合する回動方向に向かって前記回転体を前記バネ部が付勢しており、
蓋を押したとき、蓋の押しリブが容器本体の回転突起を押すように配置されており、かつ、押しリブが回転突起を押したとき、爪部と係合爪との係合がはずれる方向に回転体が回動するように構成されており、
蓋を押した後これを解除したとき、爪部が係合位置に戻るまで回転体が回動する速さを回転体のバネ部の戻り速さとし、開口バネによって蓋が開く速さを開口バネの戻り速さとしたとき、回転体のバネ部の戻り速さを、開口バネの戻り速さよりも遅くしたことを特徴とするワンタッチ開閉機能付き容器。
【請求項２】
係合爪の係合位置が、押しリブの押し位置よりも低く設けたことを特徴とした請求項１に記載のワンタッチ開閉機能付き容器。
【請求項３】
回転体のバネ部が合成樹脂で形成され、開口バネが架橋ゴム、又は金属バネであることを特徴とした請求項１又は２に記載のワンタッチ開閉機能付き容器。
【請求項４】
回転体のバネ部が発泡ゴムで形成され、開口バネが架橋ゴム、又は金属バネであることを特徴とした請求項１又は２に記載のワンタッチ開閉機能付き容器。
【請求項５】
蓋を押えるロック爪を設けたことを特徴とした請求項１〜４のいずれかに記載のワンタッチ開閉機能付き容器。
【発明の詳細な説明】
【技術分野】
【０００１】
本発明は、主としてウエットティッシュなどを収納する箱型の容器に関し、さらに詳しくは、片手で操作しやすいように、容器天面等に設けられた蓋を、押し込み操作によってワンタッチで開閉できる容器に関する。
【背景技術】
【０００２】
ウエットティッシュのように、開放状態でいると乾燥したりして、その内容物の性能が発揮できなくなるような内容物に対し、密封して外部に飛散する水分やアルコールなどの揮発を防止できるよう、密閉蓋を設け、使用する毎に容器の蓋を開閉し、内容物を取り出す容器が必要になる。それが、片手でできるように、ワンタッチで開閉できる容器があれば、より便利である。
【０００３】
文献１では、上蓋を開ける時は、上蓋をロックしている解除ボタンを押してロックを解除することで上蓋を開ける。また、上蓋を閉める時は、単に上蓋を押す構造になっている。輸送や積み下ろしなど、使用するつもりでない時でも、解除ボタンが何らかの拍子に押されると、簡単に上蓋が開いてしまう恐れがあった。また、老人や子供、手の不自由な人には、使い勝手が悪い問題があった。
【０００４】
文献２では、袋詰めされたウエットティッシュの容器として、容器本体に対して押し込み操作可能な操作部材を装着し、その操作部材とウエットティッシュの取出口を閉じる蓋とを噛み合わせて蓋を閉位置に拘束し、操作部材の押し込み操作によって操作部材と蓋との噛み合いを外して蓋を開放させるワンタッチ式の蓋付き容器を提案している。
しかしながら、この蓋付き容器は、開く時は蓋をそのまま押せば閉まるが、開く場合は、係止部と蓋本体の係合部を解除する押圧部を専用に設ける構造になっている。
その為、操作部材の弾性変形の程度によっては操作部材と蓋との噛み合いが外れて蓋が開くおそれがある。また、容器全体が変形するような強い力を必要とする。特に内容物が容器いっぱいに充填されている時には、大きな力が必要で、老人や子供、手の不自由な人には、使い勝手が悪く、片手では操作しにくいなどの問題があった。
【０００５】
また、文献３では、操作部材が容器本体と一体に成形された蓋付き容器において、操作部材の押し込み操作に伴って蓋をその下面側から押し上げる押圧部材が操作部材に設けられて、ワンタッチで蓋を開くことができる容器が知られている。
しかしながら、この蓋の開閉機構も、開く時は蓋をそのまま押せば閉まるが、開く場合は、係止部と蓋本体の係合部を解除する押圧部を専用に設ける構造になっている。
その為、輸送や積み下ろしなど開口しようとしない場合であっても、操作部材の弾性変形の程度によっては操作部材と蓋との噛み合いが外れて蓋が開くおそれがある。また、老人や子供、手の不自由な人には、使い勝手が悪い問題があった。
【先行技術文献】
【特許文献】
【０００６】
【特許文献１】特開平１−３０５９１５号公報
【特許文献２】特開平９−５８７２５号公報
【特許文献３】特開２０００−２５８０５号公報
【発明の概要】
【発明が解決しようとする課題】
【０００７】
開閉操作部材の弾性変形の変形よって、開閉操作部材と蓋との噛み合いが外れて蓋が開
くなどの問題や、誤操作による蓋の開放を確実に防止でき、単に蓋を押すことによって開閉できるワンタッチ開閉式蓋を有する容器を提供することが課題である。
【課題を解決するための手段】
【０００８】
本発明の請求項１に係る容器は、上部に開口部のある容器本体と、蓋とで構成される容器において、
前記容器本体と蓋とが、その端のヒンジ部で回転可能に接合されており、かつ、このヒンジ部近傍に開口バネが配置されていて、この開口バネにより、蓋が開く方向に付勢されており、
前記蓋の内面側に係合爪と押しリブとが設けられており、他方、容器本体の内側に回転体が設けられており、この回転体は、回動自在な軸に爪部と回転突起とバネ部とを設けて構成されており、
蓋を閉じた状態で前記爪部が蓋の係合爪と係合しており、かつ、これら爪部と係合爪とが互いに係合する回動方向に向かって前記回転体を前記バネ部が付勢しており、
蓋を押したとき、蓋の押しリブが容器本体の回転突起を押すように配置されており、かつ、押しリブが回転突起を押したとき、爪部と係合爪との係合がはずれる方向に回転体が回動するように構成されており、
蓋を押した後これを解除したとき、爪部が係合位置に戻るまで回転体が回動する速さを回転体のバネ部の戻り速さとし、開口バネによって蓋が開く速さを開口バネの戻り速さとしたとき、回転体のバネ部の戻り速さを、開口バネの戻り速さよりも遅くしたことを特徴とするワンタッチ開閉機能付き容器である。
【０００９】
また、本発明の請求項２に係る容器は、係合爪の係合位置が、押しリブの押し位置よりも低く設けたことを特徴としたワンタッチ開閉機能付き容器である。
【００１０】
また、本発明の請求項３に係る容器は、回転体のバネ部が合成樹脂で形成され、開口バネが架橋ゴム、又は金属バネであることを特徴としたワンタッチ開閉機能付き容器である。
【００１１】
また、本発明の請求項４に係る容器は、回転体のバネ部が発泡ゴムで形成され、開口バネが架橋ゴム、又は金属バネであることを特徴としたワンタッチ開閉機能付き容器である。
【００１２】
また、本発明の請求項５に係る容器は、蓋を押えるロック爪を設けたことを特徴としたワンタッチ開閉機能付き容器である。
【発明の効果】
【００１３】
本発明のワンタッチ開閉機能付き容器は、単に蓋を押すことによって開閉できるワンタッチ開閉式容器なので、老人や子供、手の不自由な人であっても、使い勝手が良く、単純で、簡単な動作で開閉できる。蓋の開閉が面倒でなく、簡易な動作で開閉できるので、億劫で開けたままで放置するなどの問題が起きにくい。しかも、開閉する回数による開閉の変化が少なく、長期にわたって使用しても、開かったままの状態になるなどの、誤動作が発生する恐れも少ない容器ができた。
【図面の簡単な説明】
【００１４】
【図１】本発明であるワンタッチ開閉機能付き容器の一例で、蓋を開けた状態の容器を示す斜視図である。
【図２】本発明のワンタッチ開閉機能付き容器で、蓋が閉められている状態における係合部分の詳細断面図である。
【図３】本発明のワンタッチ開閉機能付き容器で、蓋のロックを外した状態における係合部分の詳細断面図である。
【図４】本発明のワンタッチ開閉機能付き容器で、蓋が押圧された状態における係合部分の詳細断面図である。
【図５】本発明のワンタッチ開閉機能付き容器で、蓋を押圧した手を外し、蓋が開け始めた状態における係合部分の詳細断面図である。
【図６】本発明のワンタッチ開閉機能付き容器で、蓋が開き始めた状態における係合部分の詳細断面図である。
【図７】本発明のワンタッチ開閉機能付き容器で、蓋が完全に開き、内容物が取り出される状態における係合部分を含む断面図である。
【図８】本発明のワンタッチ開閉機能付き容器で、蓋が押圧され、閉め始めた状態における係合部分の詳細断面図である。
【図９】本発明のワンタッチ開閉機能付き容器で、蓋が完全に押圧された状態における係合部分の詳細断面図である。
【図１０】本発明のワンタッチ開閉機能付き容器で、蓋がわずかに開き、回転体がフリー状態になった係合部分の詳細断面図である。
【図１１】本発明のワンタッチ開閉機能付き容器で、蓋がわずかに開き、回転体が回転して所定の位置に戻った状態における係合部分の詳細断面図である。
【図１２】本発明のワンタッチ開閉機能付き容器において、蓋と回転体が所定の位置に戻り、ロック爪を係合した状態における係合部分の詳細断面図である。
【図１３】本発明のワンタッチ開閉機能付き容器において、蓋が閉まった状態における、容器本体の凹部と回転体を拡大した詳細断面図である。
【図１４】本発明のワンタッチ開閉機能付き容器において、蓋が押され、押さえリブが回転突起を押した状態における、容器本体の凹部と回転体を拡大した詳細断面図である。
【図１５】本発明のワンタッチ開閉機能付き容器において、一度開いた蓋が押され、押さえリブが回転突起を押してから所定の位置に戻した状態における、容器本体の凹部と回転体を拡大した詳細断面図である。
【図１６】本発明のワンタッチ開閉機能付き容器において、バネ部が伸びた形状をした他の形態の回転体を使用した例で、蓋が閉まった状態における、容器本体の凹部と回転体を拡大した詳細断面図である。
【図１７】本発明のワンタッチ開閉機能付き容器において、バネ部が伸びた形状をした他の形態の回転体を使用した例で、蓋が押され、押さえリブが回転突起を押した状態における、容器本体の凹部と回転体を拡大した詳細断面図である。
【図１８】本発明のワンタッチ開閉機能付き容器において、バネ部が押しバネ形状をした他の形態の回転体を使用した例で、蓋が閉まった状態における、容器本体の凹部と回転体を拡大した詳細断面図である。
【図１９】本発明のワンタッチ開閉機能付き容器において、バネ部が押しバネ形状をした他の形態の回転体を使用した例で、蓋が押され、押さえリブが回転突起を押した状態における、容器本体の凹部と回転体を拡大した詳細断面図である。
【発明を実施するための形態】
【００１５】
以下、本発明のワンタッチ開閉機能付き容器における実施の形態例について、動作に沿った順で、図を用いて詳細に説明する。
図１は本発明のワンタッチ開閉機能付き容器全体を示す図で、蓋を開けた状態における斜視図である。
ワンタッチ開閉機能付き容器は、容器本体１と、蓋２から構成されている。
容器本体１には上部に開口部１１があり、内容物をこの開口部１１から取り出される。
また、蓋先端をロックして、移動における振動などで開口してしまう誤動作から守るロック爪３が一方に設けられている。
他方の端根元には揺動軸等を介してヒンジ６があり、そのヒンジ部内側には開口バネ５が設けられている。
通常、容器本体１は、上下ふたつの容器から構成され、内容物を充填したりする時に、上下を分離できるようにしている。もちろん、内容物が乾燥したりしないように、機密性のある上下の容器本体が嵌合している。
蓋２には、容器本体１の開口部１１に挿入又は嵌合する突起２４が中央に設けられ密封性が確保される。また、蓋２には一方の端には係合爪２１とその外側に押しリブ２２が設けられ、他方の端には容器本体に揺動軸等を介して設けたヒンジ部６で連結されている。
【００１６】
図２は、本発明のワンタッチ開閉機能付き容器で、蓋が閉められている状態における係合部分の詳細断面図である。
容器本体１に設けられた押さえリブ用の穴や、係合爪用の穴、ロック爪３用の穴より内側に、外部と通じないような壁で閉鎖するようにする。
容器本体１内部には、回転体４が設けられ、その回転体には、回転軸４１が中央にあり、押しリブ２２に押される回転突起４２と、蓋の係合爪２１と係合する回転爪４３と、容器本体１の内面に接する回転バネ４４が軸まわりに設けられている。この回転バネ４４は、合成樹脂で作成されるような復元速度の遅いバネである。
ロック爪３は、容器前壁に設けたロック軸３１で容器本体１に連結して回動する。ロック爪３の軸反対側には、蓋２と係合して誤動作で開口することが無い様にロックするロック爪３２と、そのロックを外す為のロック突起３３が設けられている。
蓋２のヒンジ反対側先端には、係合爪２１と押さえリブ２２が設けられ、押さえリブ２２の長さは、係合爪よりも短くなっている。そして、蓋２のさらに先端に、ロック爪３と係合する係止部２３があり、ロックが外れにくくなっている。
【００１７】
図３は、本発明のワンタッチ開閉機能付き容器で、蓋に係合しているロック爪３が外れた状態における係合部分の詳細断面図である。
ロック爪３を外すには、ロック爪の突起３３を外側に押せば良い。ロック爪３のロックが外れにくくしておくには、爪押さえ３４を設けると良い。
ロック爪３が外れても、回転体４の爪部４３が蓋２の係合爪２１に係合しているので、蓋２は開口しない。
【００１８】
図４は、本発明のワンタッチ開閉機能付き容器で、蓋２を押している状態の係合部近傍の詳細断面図である。
蓋２を押すことで、押しリブ２２が、回転体４の回転突起４２を押し、回転体４は回転軸４１を中心に回転し、回転爪部４３が蓋２の係合爪２１から外れる。そして、回転バネ４４は変形して、その状態を少しの間保持する。
【００１９】
図５は、本発明のワンタッチ開閉機能付き容器で、蓋２を押さえた手を離した状況の係合部近傍における詳細断面図である。
蓋２を押さえた手を離すと、回転体４の回転爪４３が外れた位置で保持している間に、蓋２がヒンジ６近傍の開口バネ５によって開口し始め、係合爪２１が外れる。
【００２０】
図６は、本発明のワンタッチ開閉機能付き容器で、蓋２が開口し始めた状態を示す断面図である。
回転体はまだ、係合爪２１が外れた位置にあり、その状態で、一気に係合爪２１が外れ、開口し始める。
【００２１】
図７は、本発明のワンタッチ開閉機能付き容器で、蓋２が完全に開口した状態を示す断面図である。
回転体は、係合爪２１が嵌合する位置に戻り、開口バネ５が変形している。
【００２２】
図８は、本発明のワンタッチ開閉機能付き容器で、蓋２を閉め始める状態を示す断面図
である。
回転体は、係合爪２１が係合する位置に戻っている。
【００２３】
図９は、本発明のワンタッチ開閉機能付き容器で、蓋２を押した状態を示す断面図である。
回転体は、突起４２が押しリブ２２に押されて回転し、爪部４３は係合位置から外れ、バネ部４４が変形した状態にある。
【００２４】
図１０は、本発明のワンタッチ開閉機能付き容器で、蓋２を押し込んだ位置より高くして、保持している状態を示す断面図である。
回転体は、突起４２が押しリブ２２から離れた状態になっている。係合爪２１は押さえリブ２２よりも位置を低くしているので、係合爪２１は係合する位置にあるが、押さえリブ２２は回転突起４２から離れた状態であるので、回転体は戻ろうとしている。
通常、この蓋の位置では、容器本体１の開口部１１に、蓋２の突起２４が入り込んで止まり、無理に蓋をそれ以上押さない、すなわち、軽い押しで留めた位置である。
この状態で、先にロック爪３を蓋先端に係合してしまってもかまわない。その方が蓋の位置をはっきりしやすい。
【００２５】
図１１は、本発明のワンタッチ開閉機能付き容器で、回転体は、突起４２が押しリブ２２から離れ、バネ部４４の復元力で回転して、爪部４３は、係合爪２１が係合する位置に戻っている状態を示している。
その為、蓋２の係合爪２１は回転体４の爪部４３に係合し、蓋２は閉じた状態で保持できる状態にある。
【００２６】
図１２は、本発明のワンタッチ開閉機能付き容器で、ロック爪３を蓋先端に係合し、完全に蓋が閉じた状態の断面図である。
以上のように、本発明のワンタッチ開閉機能付き容器は、ロック爪３をはずした状態で、単に蓋２を押す操作だけで、開口することも、閉鎖することもできる。
【００２７】
図１３〜１５は、回転体４の断面形状の一例で、動きを示したものである。
これらで示すバネ部は、ほぼ、円弧状の形状をした樹脂で、図１３のような定常位置では、容器本体の内面に設けた凹部１２にすっぽりはまり込んでいる。この時、回転バネ４４は、回転軸４１から容器本体の内面との接点１３までの距離は回転体バネ長さ４６の状態になっている。
しかし、回転体４が押しリブ２２で押され、回転すると、回転バネ４４は、凹部１２の位置がずれて、回転軸４１から容器本体の内面との接点１３までの距離が縮まり回転体バネ長さ４５になって、
「回転体バネ長さ（圧縮時）４５」＜「回転体バネ長さ（定常位置）４６」
になっている。
図１４のように回転体４が回転して縮む時、回転バネ４４は圧縮、変形し、かつ、容器本体の内面と接触し、滑りながら移動する。この部分には、シリコンオイル、などの潤滑剤等があると、滑りやすいが、内容物の観点から、潤滑剤は好ましくない。それで、滑りやすいポリエチレン樹脂のようなオレフィン系樹脂や、ポリオキシメチレン樹脂などの滑りやすい樹脂で成形されていることが好ましい。この滑る抵抗、摩擦が遅れをもたらし、開口バネ５よりも著しく復元速度が遅くなる。ただし、摩擦抵抗があまり大きいと、定常位置に戻らなくなるので、摩擦抵抗は小さくできるようにする。それには、材質の他、一方の表面を鏡面磨き、他方の表面にはシボ加工で凹凸を付けたり、放電目を付けたり、ブラスト処理をする方法などで表面抵抗を小さくする処理を施しておく。
開口バネ５の動きは早いので、回転体４がゆっくり復元した頃には、図１５のように蓋２の係合爪２１は、回転爪４３には掛からずに外れて上昇し、開口していく。
【００２８】
図１６、図１７は、別の回転体４の断面形状の一例で、動きを示した図である。
このバネ部は、真直ぐに伸びた形状が定常の形状である。
回転体４が押しリブ２２で押され、回転すると、回転バネ４４は回転した分、変形する。そして、変形した分、戻ろうとして、まっすぐになる力で、定常位置に戻るというものである。
【００２９】
図１８、図１９は、別の回転体４の断面形状の一例で、動きを示した図である。
この回転バネ４４は、回転する方向が押す方向になって、圧縮される。その為、圧縮された分、戻ろうとして、伸びる力で、定常位置に戻るというものである。
【００３０】
本発明の回転体４に設けた回転バネ４４は、開口バネ５よりも戻り速度が遅いバネを使用する。それに対応するため、回転バネ４４、又は回転体４の材質をポリプロピレン樹脂、ポリエチレン樹脂、ポリオキシメチレン樹脂、エチレン・プロピレン共重合体、エチレン・酢酸ビニル共重合体、アイオノマー樹脂などの樹脂で作られたバネや、発泡ウレタン樹脂などの発泡樹脂を使用したバネで作成し、一般のバネに対して、戻り速度が遅いバネにする。回転体４本体とバネ部４４は、同時に一体で射出成形しても良いし、予め製造したバネ部４４を挿入して、インサート射出成形しても良い。
【００３１】
他方、開口バネ５は、シリコンゴム、天然ゴム、スチレンブタジエンゴム、ニトリルゴム、ウレタンゴム、エチレンプロピレンゴムなどを使用してもかまわないし、ピアノ線やステンレス線、およびそれらの板材でバネ用材を使用したトーションバネや板バネにしてもかまわない。回転バネ４４に比べ、充分にバネの復元力が高く、戻り速度が早い状態で使用する。
上記ゴム系の樹脂では、バルク状態での使用でも、板材にして曲げに対する復元バネ性を使用する方法でも可能である。
バルク状態での使用は、戻り速度が速く、力も大きく、耐久性は大きいが、圧縮変形としての歪み変化量が小さい。板材での使用は、戻り速度が速くはなく、力や耐久性は少ないが、変形量が大きいので、大きく開くなどに便利である。二重にして使用する方法もある。
【００３２】
蓋２の突起２４は、キャップのインナーリングに相当するもので、角部は丸い円弧になって、開口部１１よりもわずかに大きめに設計されており、その差で突起２４が開口部１１内面に圧接して、容器を密封できるようになっている。その為、密封する挿入力が必要であり、丁度、突起２４が開口部１１に挿入された位置が、ロック爪でロックできる位置とする。そして、その位置以上に蓋２を押すことで、蓋２先端側が変形して容器本体１側に押され、それで、回転突起４２が押さえリブ２２に押されるのが好ましい。突起２４が一定以上に開口部１１に入り込まないように設計されている場合は、ロック爪３の爪押さえ３４がなくても、問題はない。
【００３３】
以下、本発明の実施例について記載する。
容器本体１は、図１の容器本体の形状の内、係合爪２１や押さえリブ２２用の穴やロック爪３用の軸周辺の前面部と上側、底側の３点に分けた形状とし、アクリロニトリル・ブタジエン・スチレン共重合体で、射出成形により、製造した。回転体４の回転バネ４４が入り込む凹部は鏡面磨きを施した。容器本体１自体は、上記のように、底側と上側と前面部分の３点に分かれているが、合わせ部分はコンタクトリングで密閉できるようにした。
蓋２はポリプロピレン樹脂を使用し、図１の形状の金型で射出成形した。
回転体４は２モルパーセントのオキシエチレン単位を含むポリオキシメチレンの共重合樹脂で、図１４の形状の金型で射出成形した。回転バネ４４の外表面は金型製作時に放電を調整し、１２ミクロンの凹凸の放電目を設けた。
開口バネ５はシリコンゴムを板材状に成形したものを使用した。
ロック爪３は、図３のような断面をもつ金型で、高密度ポリエチレンで射出成形して得た。
内容物は不織布にエチルアルコールを含浸させたものを作成し、２００枚を容器に入れた。
【００３４】
評価は、蓋を押しての開閉を５００回繰り返し、問題がなく蓋の押しだけで開閉することを確認した。また、容器も蓋を閉めた状態で、３ヶ月２５℃２０％ＲＨの環境下で保存したが、不織布は乾燥せず、濡れた状態を保っていた。
【００３５】
本発明のワンタッチ開閉機能付き容器は、以上のようなもので、蓋を押すだけで開き、蓋を押しただけで閉まる。閉める時は、蓋を押してから、基準位置で、わずか０．５秒間以上、できれば、１秒間以上、蓋を保持する必要があるが、そのような押し方一つで開閉できる容易さと、ロック爪で固定化できるので、搬送や積載する時の振動などで容器が開くなどの問題は出ないなど、メリットが大きい。
【符号の説明】
【００３６】
１・・・・・・・・・容器本体
１１・・・・・・・・開口部
１２・・・・・・・・凹部
１３・・・・・・・・接点
２・・・・・・・・・蓋
２１・・・・・・・・係合爪
２２・・・・・・・・押しリブ
２４・・・・・・・・突起
３・・・・・・・・・ロック爪
３１・・・・・・・・ロック軸
３２・・・・・・・・ロック爪
３３・・・・・・・・ロック突起
３４・・・・・・・・爪押さえ
４・・・・・・・・・回転体
４１・・・・・・・・回転軸
４２・・・・・・・・回転突起
４３・・・・・・・・回転爪
４４・・・・・・・・回転バネ
４５・・・・・・・・回転体バネ長さ（圧縮時）
４６・・・・・・・・回転体バネ長さ（定常位置）
５・・・・・・・・・開口バネ
６・・・・・・・・・ヒンジ
【図１】
2014114028.tif 000003
【図２】
2014114028.tif 000004
【図３】
2014114028.tif 000005
【図４】
2014114028.tif 000006
【図５】
2014114028.tif 000007
【図６】
2014114028.tif 000008
【図７】
2014114028.tif 000009
【図８】
2014114028.tif 000010
【図９】
2014114028.tif 000011
【図１０】
2014114028.tif 000012
【図１１】
2014114028.tif 000013
【図１２】
2014114028.tif 000014
【図１３】
2014114028.tif 000015
【図１４】
2014114028.tif 000016
【図１５】
2014114028.tif 000017
【図１６】
2014114028.tif 000018
【図１７】
2014114028.tif 000019
【図１８】
2014114028.tif 000020
【図１９】
2014114028.tif 000021